(57)【要約】  【課題】  開弁動作をスムーズに行う。  【解決手段】  レバー１のピストン側に、該ピストン２の係合部２ｆと軸方向へ対向する押圧部５ａを有する弁受け５を、支点５ｂを中心として回動自在に設け、上記レバー１をピストン２の開弁方向へ揺動させることにより、その姿勢と関係なく押圧部５ａが支点５ｂを中心として回動し、ピストン２の係合部２ｆと軸方向へ面接触したまま該ピストン２が傾動せずに軸方向へ均一に押されて開弁する。  【選択図】      図１
2006325738.tif 000002
【特許請求の範囲】
【請求項１】
レバー（１）を揺動して、それと係合するピストン（２）を開弁方向へ移動させることにより、容器（３）内の流体を出口（２ａ）から適量吐出する流体用ディスペンサーにおいて、
前記レバー（１）のピストン側に、該ピストン（２）の係合部（２ｆ）と軸方向へ対向する押圧部（５ａ）を有する弁受け（５）を、支点（５ｂ）を中心として回動自在に設け、上記レバー（１）をピストン（２）の軸方向へ揺動させることで、押圧部（５ａ）がピストン（２）の係合部（２ｆ）と面接触するように回動させるような配置としたことを特徴とする流体用ディスペンサー。
【請求項２】
前記弁受け（５）に、ピストン（２）の係合部（２ｆ）と軸方向へ対向する誘導路（５ｃ）を、該弁受け（５）の開放端（５ｄ）からピストン（２）のセット位置に配置される押圧部（５ａ）に亘って設けた請求項１記載の流体用ディスペンサー。
【請求項３】
前記弁受け（５）の押圧部（５ａ）を、ピストン（２）の係合部（２ｆ）と軸方向へ嵌り合う構造にした請求項２記載の流体用ディスペンサー。
【発明の詳細な説明】
【技術分野】
【０００１】
本発明は、例えば手洗い洗剤（ハンドソープ）や粘度が高い液体などからなる流体を適量取り出すための流体用ディスペンサー（ポンプ・アセンブリー）に関する。
詳しくは、レバーをピストンの軸方向へ揺動して、それと係合するピストンを開弁方向へ移動させることにより、容器内の流体を出口から適量吐出する流体用ディスペンサーに関する。
【背景技術】
【０００２】
従来、この種の流体用ディスペンサーとして、容器の下端部に形成した円筒チャンバ内にピストンが軸方向へ摺動可能に嵌め込まれ、このピストンには、該円筒チャンバと当接する弾性的に変形可能なたわみディスク及びシーリングディスクが突設されると共に、円筒チャンバから突出する部分には、嵌合フランジが突設され、この嵌合フランジの近くにレバー（作動レバー）が水平軸を中心として上下方向へ揺動（旋回）自在に配設され、該レバーの上端に連設されたフックを、上記ピストンの嵌合フランジと係合させ、レバーの下端に連設された操作部（ハンドル部）を略水平方向へ押動すると、水平軸を中心としてフックが上方へ揺動してピストンの嵌合フランジを押し上げ、それによりたわみディスクが弾性変形して円筒チャンバの内壁面との間に隙間ができて、そこから液体が流れ出て入口孔（入り口）及び内部流路（流路、中央通路）を経て出口より吐出し、また操作部を放すと、スプリングがレバーの上部及びフックを下方へ斜めに動かして、ピストンを下限位置まで引き出すポンプ・アセンブリーがある（例えば、特許文献１参照）。
そして、容器内の液体が空になった時には、この容器とそれに付属するポンプ・アセンブリーが、底部支持プレートの円形開口部から取り外され、これに代えて新しい詰め替え容器（リザーバ）と付属ポンプを、底部支持プレートの円形開口部に挿入すると共にクランプなどで支持した後、このピストンの嵌合フランジにレバーのフックを係合することでセットされる。
【０００３】
【特許文献１】特許３４０８５３７号公報（第４−８頁、図１−図６）
【発明の開示】
【発明が解決しようとする課題】
【０００４】
しかし乍ら、このような従来の流体用ディスペンサーでは、レバーのフックをピストンの嵌合フランジ沿いに摺動してレバーの揺動をピストンの上下動に変換させるため、特に強い力でレバーを素早く揺動させると、フックの摺動が間に合わず、ピストンをこじって斜めに押し上げてしまい、それにより開弁動作をスムーズに行えなくなり、その結果、レバーの押動も重くなって操作性に劣るという問題があった。
更に、フックの揺動によってピストンには、その軸方向に対して斜め方向の押圧力が作用するため、ピストンが傾動して嵌合フランジが変形し易く、それによりピストンが折れて破損する恐れがあるという問題があった。
また、容器の交換時には、ピストンの嵌合フランジからレバーのフックを外してから底部支持プレートの円形開口部から取り出すと共に、これに代えて詰め替え容器と付属ポンプを底部支持プレートの円形開口部に挿入して、そのピストンの嵌合フランジにレバーのフックを係合し直す必要があるため、容器交換の作業性が悪く、この交換したピストンの嵌合フランジとレバーのフックを係合し忘れると、レバーを揺動させてもピストンが移動しないために液体が吐出されないという問題もあった。
【０００５】
本発明のうち請求項１記載の発明は、開弁動作をスムーズに行うことを目的としたものである。
請求項２記載の発明は、請求項１に記載の発明の目的に加えて、詰め替え容器を簡単な作業で正確にセットすることを目的としたものである。
請求項３記載の発明は、請求項２に記載の発明の目的に加えて、ピストンを簡単な構造で確実に往復動させることを目的としたものである。
【課題を解決するための手段】
【０００６】
前述した目的を達成するために、本発明のうち請求項１記載の発明は、レバーのピストン側に、該ピストンの係合部と軸方向へ対向する押圧部を有する弁受けを、支点を中心として回動自在に設け、上記レバーをピストンの軸方向へ揺動させることで、押圧部がピストンの係合部と面接触するように回動させるような配置としたことを特徴とするものである。
請求項２記載の発明は、請求項１記載の発明の構成に、前記弁受けに、ピストンの係合部と軸方向へ対向する誘導路を、該弁受けの開放端からピストンのセット位置に配置される押圧部に亘って設けた構成を加えたことを特徴とする。
請求項３記載の発明は、請求項２記載の発明の構成に、前記弁受けの押圧部を、ピストンの係合部と軸方向へ嵌り合う構造にした構成を加えたことを特徴とする。
【発明の効果】
【０００７】
本発明のうち請求項１記載の発明は、レバーのピストン側に、該ピストンの係合部と軸方向へ対向する押圧部を有する弁受けを、支点を中心として回動自在に設け、上記レバーをピストンの開弁方向へ揺動させることにより、その姿勢と関係なく押圧部が支点を中心として回動し、ピストンの係合部と軸方向へ面接触したまま該ピストンが傾動せずに軸方向へ均一に押されて開弁する。
従って、開弁動作をスムーズに行うことができる。
その結果、レバーのフックをピストンの嵌合フランジ沿いに摺動してレバーの揺動をピストンの上下動に変換させる従来のものに比べ、レバーを軽く押動するだけで必要量の流体を取り出せて操作性に優れる。
更に、レバーの揺動と関係なくピストンを軸方向へ押動するため、ピストンが傾動せず、それによる変形や破損を防止できる。
【０００８】
請求項２の発明は、請求項１の発明の効果に加えて、弁受けにピストンの係合部と軸方向へ対向する誘導路を、該弁受けの開放端からピストンのセット位置に配置される押圧部に亘って設けることにより、ピストンの係合部を誘導路の開放端からそれに沿って押圧部まで移動させるだけで、ピストンがそのセット位置に位置決めされる。
従って、詰め替え容器を簡単な作業で正確にセットすることができる。
その結果、容器の交換時には、ピストンの嵌合フランジからレバーのフックを外してから底部支持プレートの円形開口部から取り出すと共に、詰め替え容器と付属ポンプを底部支持プレートの円形開口部に挿入して、そのピストンの嵌合フランジにレバーのフックを係合し直す必要がある従来のものに比べ、容器交換の作業性に優れ、しかも交換したピストンの嵌合フランジとレバーのフックを係合し忘れによるピストンの不作動も防止できて確実に流体を吐出できる。
【０００９】
請求項３の発明は、請求項２の発明の効果に加えて、弁受けの押圧部を、ピストンの係合部と軸方向へ嵌り合う構造にすることにより、レバーがピストンの閉弁方向へ揺動した時に、ピストンの係合部も閉弁方向へ連動して初期状態へ戻す。
従って、ピストンを簡単な構造で確実に往復動させることができる。
【発明を実施するための最良の形態】
【００１０】
本発明の流体用ディスペンサーＡは、図１〜図８に示す如く、レバー１の操作部１ａを押動してピストン２の軸方向へ揺動させることにより、このピストン２が容器３に向け軸方向へ移動して開弁し、この開弁に伴って、上記容器３内の流体が出口２ａから適量だけ吐出し、また上記操作部１ａを放すと、例えばスプリングなどの弾性体４がレバー１を逆の閉弁方向へ押動して、ピストン２を閉弁された初期状態まで戻すものである。
【００１１】
このような弁構造の代表例としては、例えば特許３４０８５３７号公報に記載される如く、容器３の開口部３ａに円筒チャンバ３ｂを取り付けるか又は一体的に連接し、この円筒チャンバ３ｂに対してピストン２の軸方向へ往復動自在に挿入すると共に、このピストン２の外周には弾性的に変形可能なたわみディスク２ｂとシーリングディスク２ｃが突設され、該ピストン２を容器３側へ押し込んで流体の内圧を高めることにより、たわみディスク２ｂが弾性変形して円筒チャンバ３ｂの内壁面との間に隙間ができて開弁し、この隙間から容器３内の流体が流れ出て入口孔２ｄ及び内部流路２ｅを経て出口２ａより吐出されるようにするか、或いはそれに類似した構造に構成される。
【００１２】
これら構成部品のうち少なくともレバー１は、上記流体用ディスペンサーＡのハウジングＡ１に配設され、ピストン２及び容器３を夫々のセット位置に対して交換可能に収納配備している。
【００１３】
このピストン２及び容器３の配備例としては、容器３の開口部３ａに、円筒チャンバ３ｂが一体形成されるか又は一体的に取り付けられたキャップ３ｃを螺着又は固着すると共に、この円筒チャンバ３ｂ内にピストン２を挿入した状態で、これら開口部３ａとキャップ３ｃの間に形成される小径部３ｄを、上記ハウジングＡ１の内部に横設された支持プレートＡ２のＵ字形凹部Ａ３に、ハウジングＡ１の正面側から嵌め込むことで、開口部３ａが下向きとなるようにセットするか、或いはそれに類似した構造でセットすることが好ましい。
【００１４】
そして、前記レバー１とピストン２との間には弁受け５を設け、この弁受け５にはピストン２の係合部２ｆと軸方向へ対向する押圧部５ａと、レバー１に対してピストン２の軸方向と交差する方向へ回動させるための支点５ｂが連設され、レバー１をピストン２の軸方向へ揺動することにより、該押圧部５ａが支点５ｂを中心としてピストン２の係合部２ｆと面接触するように回動させるような配置構造にしている。
【００１５】
この押圧部５ａは、上述したようなハウジングＡ１のＵ字形凹部Ａ３に対して正確にセットしたピストン２の係合部２ｆと軸方向へ対向して配置される。
【００１６】
更に、上記弁受け５には、ピストン２の係合部２ｆと軸方向へ対向する誘導路５ｃが、該弁受け５の開放端から上記セット位置に配置した押圧部５ａへ向けて設けられ、ピストン２の係合部２ｆを、この誘導路５ａの開放端５ｄからそれに沿って押圧部５ａまで移動させるだけで、ピストン２及び容器３が夫々のセット位置に位置決めされるようにしている。
【００１７】
また、前記ハウジングＡ１には、建物の壁面Ｗに取り付けるためのバックプレートＡ４を形成したり、必要に応じて図１及び図５に示す如く、上述した弁構造を覆うためのカバー６を取り付けることも可能である。
以下、本発明の各実施例を図面に基づいて説明する。
【実施例１】
【００１８】
この実施例１は、図１〜図４に示す如く、前記ピストン２の係合部２ｆとして環状フランジが一体成形され、この環状フランジ２ｆの下面のみと軸方向へ対向する押圧部５ａを有する弁受け５が設けられると共に、前記レバー１及びピストン２を初期状態に戻す弾性体４が、容器３側に取り付けられた場合を示すものである。
【００１９】
この弁受け５の支点５ｂは、図２（ａ）（ｂ）に示す如く、ピストン２の軸方向と交差する左右方向に配置された互いに嵌め合う形状の回転軸と軸孔か又は凸部と凹部からなり、そのどちらか一方を該弁受け５に一体形成するか或いは一体的に設けると共に、他方をレバー１に一体形成するか或いは一体的に設け、これら両者を嵌め合わせることで回転自在に連結している。
図示例では、弁受け５の左右両端に回転軸を突設すると共に、これと対向するレバー１のピストン側端部１ｃに軸孔を貫通開穿している。
【００２０】
更に、上記弁受け５の誘導路５ｃは、前記ハウジングＡ１の正面側から背面側へ向けて左右一対夫々形成され、これらの間にピストン２の環状フランジ２ｆより下方に突出する下端部２ｇが挿通可能な挿通路５ｅを区画形成すると共に、その背面側先端に押圧部５ａを略Ｕ字形に一体形成している。
【００２１】
また、前記レバー１は、図１（ａ）（ｂ）に示す如く、その左右端部に夫々突設した回転軸１ｂを、前記ハウジングＡ１の側壁Ａ５に形成された貫通状又は凹状の軸孔Ａ６に対して回転自在に嵌合させ、その下端に形成した操作部１ａを水平方向へ押動してそのピストン側端部１ｃを上向きに揺動させることにより、ピストン２が上方へ移動して開弁させると共に、流体の吐出後は操作部１ａから手を離すことで、レバー１を後述する弾性体４により下方へ押動して、ピストン２が下限位置まで戻るようにしている。
【００２２】
この実施例の弾性体４としては、容器３の円筒チャンバ３ｂに沿ってその内底面３ｅからピストン２の環状フランジ２ｆに亘ってスプリングを介装することにより、このスプリング４が容器３に対して一体的に組み込まれている。
【００２３】
また更に、前記カバー６の取り付け例としては、その左右内面に突設した回転軸６ａを、前記ハウジングＡ１の側壁Ａ５に形成された凹状又は貫通状の長孔Ａ７に対して回転自在に嵌合させ、この回転軸６ａを中心として上下方向へ揺動させることにより、容器３の交換時にその作業の邪魔にならないようにしている。
【００２４】
次に、斯かる流体用ディスペンサーＡの作動について説明する。
図１（ａ）及び図２（ａ）に示す閉弁状態から、図１（ｂ）及び図２（ｂ）に示す如く、レバー１の操作部１ａを水平方向へ押動すると、そのピストン側端部１ｃが上向きに揺動し、その姿勢と関係なくこれに連動して弁受け５が支点５ｂを中心として回動し、その押圧部５ａとピストン２の環状フランジ２ｆとが上下方向へ面接触したまま、ピストン２を水平状態を維持しながら、その軸方向である上方向へ均一に押されて、該ピストン２が傾動することなく容器３側へ押し込まれる。
【００２５】
それにより、円筒チャンバ３ｂ内に配置されたフロート弁体３ｆが容器３との通路３ｇを閉弁するなどして、流体の内圧が高められ、これに伴いピストン２のたわみディスク２ｂが弾性変形して円筒チャンバ３ｂの内壁面との間に隙間ができて開弁し、この隙間から容器３内の流体が流れ出て、ピストン２の入口孔２ｄ及び内部流路２ｅを経て出口２ａより吐出される。
【００２６】
その結果、ピストン２の開弁動作をスムーズに行えて、レバー１の操作部１ａを軽く押動するだけで必要量の流体が取り出せる。
【００２７】
また、容器３内の流体が空になった時には、図３（ａ）に示す如く、カバー６を下方へ揺動して弁構造の手前側を開放した後に、弁受け５の押圧部５ａから誘導路５ｃに沿ってピストン２の環状フランジ２ｆを開放端５ｄへ向け移動させるだけて、該ピストン２と容器３が取り出すことができる。
【００２８】
その後、図３（ａ）（ｂ）及び図４（ａ）（ｂ）に示す如く、新しい詰め替え容器３に組み込まれたピストン２の環状フランジ２ｆを、弁受け５の開放端５ｄから誘導路５ｃに沿って押圧部５ａへ向け移動させると同時に、該ピストン２の環状フランジ２ｆより下方に突出する下端部２ｇを挿通路５ｅに沿って移動させるだけで、この詰め替え容器３の小径部３ｄが、前記ハウジングＡ１のＵ字形凹部Ａ３に嵌め込まれて、予め設定されたセット位置にセットされると共に、それに組み込まれたピストン２もセット位置に位置決めされる。
その結果、詰め替え容器３を簡単な作業で正確にセットできる。
【００２９】
更に、図１〜図４に示す実施例１は、ピストン２を初期状態に戻すスプリングなどの弾性体４が容器３側に取り付けられるため、特許３４０８５３７号公報に記載されるものや後述する図５〜図８に示す実施例２のようなスプリングなどの弾性体４をハウジングＡ１側に取り付けるものに比べて、ハウジングＡ１側の構造を簡素化して、その製造コストの低減化が図れるという利点がある。
【実施例２】
【００３０】
この実施例２は、図５〜図８に示す如く、前記弁受け５の少なくとも押圧部５ａを、前記ピストン２の係合部２ｆとして一体成形された環状フランジの上下面と軸方向へ対向して嵌り合う構造に変更すると共に、前記弾性体４を容器３側に取り付けるのではなくハウジングＡ１側に取り付けた構成が、前記図１〜図４に示した実施例１とは異なり、それ以外の構成は図１〜図４に示した実施例１と同じものである。
【００３１】
図示例の場合には、弁受け５の押圧部５ａだけでなく誘導路５ｃも含めて、ピストン２の環状フランジ２ｆの上面と対向して当接する嵌合片５ｆを連設して、これら押圧部５ａ及び誘導路５ｃの側面形状を夫々断面コの字形にすると共に、該誘導路５ｃの嵌合片５ｆを開放端５ｄから押圧部５ａに向けて下り傾斜させている。
【００３２】
この実施例の弾性体４としては、レバー１のピストン側先端部１ｄからハウジングＡ１の支持プレートＡ２に亘ってスプリングを介装することにより、このスプリング４がハウジングＡ１に対して一体的に組み込まれている。
【００３３】
従って、図５〜図８に示す実施例２は、上述した実施例１と同様な作用効果が得られ、更に加えて、弁受け５の少なくとも押圧部５ａを、ピストン２の環状フランジ２ｆの上下面と軸方向へ対向して嵌り合う構造にしたため、弾性体４でレバー１が逆の閉弁方向へ押動されると、これに連動して図５（ａ）（ｂ）及び図６（ａ）（ｂ）に示す如く、上記嵌合片５ｆにより環状フランジ２ｆが引き下げられてピストン２を初期状態へ戻す。
その結果、弾性体４をハウジングＡ１側に取り付けた場合でもピストン２を簡単な構造で確実に往復動できるという利点がある。
【００３４】
また、誘導路５ｃの嵌合片５ｆを開放端５ｄから押圧部５ａに向けて下り傾斜させたため、容器３の交換時には、図７（ａ）（ｂ）及び図８（ａ）（ｂ）に示す如く、新しい詰め替え容器３を押圧部５ａへ容易に挿着できるという利点もある。
【００３５】
尚、前示実施例では、前記ピストン２の係合部２ｆとして一体成形した環状フランジが、弁受け５の押圧部５ａ及び誘導路５ｃに軸方向へ当接される場合を示したが、これに限定されず、ピストン２の係合部２ｆとして外周面に環状凹部（図示せず）を一体成形して、この環状凹部に弁受け５の押圧部５ａ及び誘導路５ｃに軸方向へ当接係合させるようにしても良い。
【００３６】
更に、前記ハウジングＡ１の内部に横設された支持プレートＡ２のＵ字形凹部Ａ３に対して、縦長の箱形形状に形成された容器３をその開口部３ａが下向きとなるよう略垂直にセットしているが、これに限定されず、図示例以外の支持手段で容器３をセットしたり、容器３の形状に合わせて斜め下向きなど、他の向きにセットすることも可能である。
【図面の簡単な説明】
【００３７】
【図１】本発明の流体用ディスペンサーの実施例１を示す縦断側面図であり、（ａ）が初期状態を示し、（ｂ）が吐出状態を示している。
【図２】要部を拡大して示した部分的な斜視図であり、（ａ）が初期状態を示し、（ｂ）が吐出状態を示している。
【図３】容器をセットする状態を示す斜視図であり、（ａ）がセット開始時を示し、（ｂ）がセット終了時を示している。
【図４】要部を拡大して示した部分的な斜視図であり、（ａ）がセット開始時を示し、（ｂ）がセット終了時を示している。
【図５】本発明の流体用ディスペンサーの実施例２を示す縦断側面図であり、（ａ）が初期状態を示し、（ｂ）が吐出状態を示している。
【図６】要部を拡大して示した部分的な斜視図であり、（ａ）が初期状態を示し、（ｂ）が吐出状態を示している。
【図７】容器をセットする状態を示す斜視図であり、（ａ）がセット開始時を示し、（ｂ）がセット途中時を示している。
【図８】要部を拡大して示した部分的な斜視図であり、（ａ）がセット開始時を示し、（ｂ）がセット終了時を示している。
【符号の説明】
【００３８】
Ａ  流体用ディスペンサー            Ａ１  ハウジング
Ａ２  支持プレート                  Ａ３  Ｕ字形凹部
Ａ４  バックプレート                Ａ５  側壁
Ａ６  軸孔                          Ａ７  長孔
Ｗ  壁面                            １  レバー
１ａ  操作部                        １ｂ  回転軸
１ｃ  ピストン側端部                １ｄ  ピストン側先端部
２  ピストン                        ２ａ  出口
２ｂ  たわみディスク                ２ｃ  シーリングディスク
２ｄ  入口孔                        ２ｅ  内部流路
２ｆ  係合部（環状フランジ）        ２ｇ  下端部
３  容器                            ３ａ  開口部
３ｂ  円筒チャンバ                  ３ｃ  キャップ
３ｄ  小径部                        ３ｅ  内底面
３ｆ  フロート弁体                  ３ｇ  通路
４  弾性体（スプリング）            ５  弁受け
５ａ  押圧部                        ５ｂ  支点（回転軸と軸孔）
５ｃ  誘導路                        ５ｄ  開放端
５ｅ  挿通路                        ５ｆ  嵌合片
６  カバー                          ６ａ  回転軸
【図１】
2006325738.tif 000003
【図２】
2006325738.tif 000004
【図３】
2006325738.tif 000005
【図４】
2006325738.tif 000006
【図５】
2006325738.tif 000007
【図６】
2006325738.tif 000008
【図７】
2006325738.tif 000009
【図８】
2006325738.tif 000010